(57)【要約】【課題】本発明は、径方向に小型化された制動力調整部材を備えた魚釣用リールのドラグ装置を提供することを課題とする。【解決手段】本発明に係る魚釣用リール１００のドラグ装置１は、スプール１２０又はスプールとともに回転する回転部材に制動力を付与する魚釣用リール１００のドラグ装置１であって、スプール１２０又は回転部材を支持する支持軸１１０に貫通され、摩擦抵抗力を制動力としてスプール又は回転部材に付与する複数の制動板２と、支持軸１１０に螺着し、回動操作により制動力を調整する制動力調整部材７と、を備え、制動力調整部材７は、回動操作により支持軸１１０の軸方向に変位し、複数の制動板２を押圧する押圧力を調整する押圧力調整部４０と、回動操作時に発音する発音部３０と、を備え、押圧力調整部４０と発音部３０とは、制動力調整部材７の内部に配置されるとともに軸方向に併設されていることを特徴とする。【選択図】図２
2018157778.tif 000002
【特許請求の範囲】
【請求項１】
スプール又は前記スプールとともに回転する回転部材に制動力を付与する魚釣用リールのドラグ装置であって、
前記スプール又は前記回転部材を支持する支持軸に貫通され、摩擦抵抗力を制動力として前記スプール又は前記回転部材に付与する複数の制動板と、
前記支持軸に螺着し、回動操作により前記制動力を調整する制動力調整部材と、
を備え、
前記制動力調整部材は、
前記回動操作により前記支持軸の軸方向に変位し、前記複数の制動板を押圧する押圧力を調整する押圧力調整部と、
前記回動操作時に発音する発音部と、
を備え、
前記押圧力調整部と前記発音部とは、前記制動力調整部材の内部に配置されるとともに前記軸方向に併設されていることを特徴とする魚釣用リールのドラグ装置。
【請求項２】
前記制動力調整部材は、
前記軸方向の一側に位置し、手指で摘まむことができるツマミ部と、
前記軸方向の他側に位置し、前記押圧力調整部の押圧力を受けて前記複数の制動板を押圧する押圧部と、
を備え、
前記押圧部は、筒状の筒部を有し、
前記発音部は、前記筒部内に収容されていることを特徴とする請求項１に記載の魚釣用リールのドラグ装置。
【請求項３】
前記発音部は、
前記筒部の内周面に形成された凹凸部と、
前記筒部内に収容され、前記凹凸部に弾発係合する発音体と、を備え、
前記押圧部と前記発音体との相対回動により発音することを特徴とする請求項２に記載の魚釣用リールのドラグ装置。
【請求項４】
前記発音体は、板ばね部材であり、
前記板ばね部材は、前記筒部内に収容され、前記押圧部と相対回転可能な保持部材に保持されていることを特徴とする請求項３に記載の魚釣用リールのドラグ装置。
【請求項５】
スプール又は前記スプールとともに回転する回転部材を支持する支持軸に螺着する魚釣用リールの制動力調整部材であって、
回動操作により前記支持軸の軸方向に変位し、複数の制動板を押圧する押圧力を調整する押圧力調整部と、
前記回動操作時に発音する発音部と、
を備え、
前記押圧力調整部と前記発音部とは、前記制動力調整部材の内部に配置されるとともに前記軸方向に併設されていることを特徴とする魚釣用リールの制動力調整部材。
【発明の詳細な説明】
【技術分野】
【０００１】
本発明は、魚釣用リールのドラグ装置、及び魚釣用リールの制動力調整部材に関する。
【背景技術】
【０００２】
魚釣用リールには、複数の制動板により生じた摩擦抵抗力を制動力としてスプールに付与するドラグ装置が設けられている。
また、ドラグ装置は、スプールの制動力を調整するため、複数の制動板の他に、スプール軸などの支持軸に螺着する制動力調整部材（以下、ドラグノブと称する場合がある）を備えている。
このようなドラグノブは、ツマミ部の回動操作により支持軸の軸方向に変位して、複数の摩擦板を押圧する押圧力を調整できる押圧力調整部を備えている（下記特許文献１−３参照）。
【０００３】
また、ドラグ装置には、ツマミ部を回動操作した際に節度を持って発音する発音部が設けられている。これによれば、制動力の調節加減を感覚的（聴覚的）に認識することができる。
【先行技術文献】
【特許文献】
【０００４】
【特許文献１】実公平０７−２６９３７号公報
【特許文献２】実公平０７−２５０２８号公報
【特許文献３】特開２０１２−２０５５１７号公報
【発明の概要】
【発明が解決しようとする課題】
【０００５】
ところで、特許文献１の螺合部は、ドラグノブ（制動力調整部材）の前部に設けられている。また、その螺合部の径方向外側（外周側）に発音部が設けられている。
このため、特許文献１のドラグノブは、前部が大型化しており、小型のスプールに適用できなかった。また、特許文献１のドラグノブは、前部が重量化し、重心が前寄りとなり、操作性の低下を招いていた。
さらに、ドラグノブの前部が径方向外側に拡大しているため、ツマミ部の形状が制約された。言い換えると、ツマミ部に関し、回動操作性の向上を図る効果的な形状設計や、デザイン性の自由度が制限されていた。
【０００６】
また、特許文献２においても、ドラグノブの前部であって押圧力調整部（螺合部及びコイルばね）の径方向外側に発音部が配置されていた。つまり、特許文献２のドラグノブの前部は、径方向外側に拡大し、かつ、軸方向に肉厚化していた。
よって、特許文献２のドラグノブにおいても、小型のスプールに適用することができず、かつ、重心が前寄りとなり、操作性の低下を招いた。
【０００７】
また、特許文献３の発音部（クリック機構）は、コイルばね（押圧力調整部）の径方向外側（外周側）に配置されていた。このため、特許文献３のドラグノブは、後部が径方向外側に拡大しており、小型のスプールに適用できなかった。
【０００８】
以上から、従来においては、押圧力調整部の径方向に発音部を配置した構成となっており、制動力調整部材（ドラグノブ）が径方向に大型化していた。
【０００９】
本発明は、このような課題を解決するために創作されたものであり、径方向に小型化された制動力調整部材を備えた魚釣用リールのドラグ装置、及び径方向に小型化された魚釣用リールの制動力調整部材を提供することを課題とする。
【課題を解決するための手段】
【００１０】
前記課題を解決するため、魚釣用リールのドラグ装置は、スプール又は前記スプールとともに回転する回転部材に制動力を付与する魚釣用リールのドラグ装置であって、前記スプール又は前記回転部材を支持する支持軸に貫通され、摩擦抵抗力を制動力として前記スプール又は前記回転部材に付与する複数の制動板と、前記支持軸に螺着し、回動操作により前記制動力を調整する制動力調整部材と、を備え、前記制動力調整部材は、前記回動操作により前記支持軸の軸方向に変位し、前記複数の制動板を押圧する押圧力を調整する押圧力調整部と、前記回動操作時に発音する発音部と、を備え、前記押圧力調整部と前記発音部とは、前記制動力調整部材の内部に配置されるとともに前記軸方向に併設されていることを特徴とする。
【００１１】
前記発明によれば、従来、押圧力調整部の径方向外側（外周側）に配置されていた発音部が軸方向に併設されるため、制動力調整部材における径方向の寸法を小さく設計すること、つまり、制動力調整部材を径方向に小型化することが可能となる。
この結果、制動力調整部材の操作性が向上するとともに、小型スプールに適用することも可能となる。
【００１２】
また、前記発明において、前記制動力調整部材は、前記軸方向の一側に位置し、手指で摘まむことができるツマミ部と、前記軸方向の他側に位置し、前記押圧力調整部の押圧力を受けて前記複数の制動板を押圧する押圧部と、を備え、前記押圧部は、筒状の筒部を有し、前記発音部は、前記筒部内に収容されていることが好ましい。
【００１３】
前記構成によれば、発音部を配置するための空間として、押圧部の筒部内のスペースを有効に活用している。また、発音部は、ツマミ部と反対側に配置されるため、ツマミ部の含めた外観デザインの設計自由度が高まり、小型スプールへの適用範囲が拡大する。
【００１４】
また、前記発明において、前記発音部は、前記筒部の内周面に形成された凹凸部と、前記筒部内に収容され、前記凹凸部に弾発係合する発音体と、を備え、前記押圧部と前記発音体との相対回動により発音してもよい。
【００１５】
また、前記発明において、前記発音体は、板ばね部材であり、前記板ばね部材は、前記筒部内に収容され、前記押圧部と相対回転可能な保持部材に保持されていてもよい。
【００１６】
また、前記課題を解決するため、魚釣用リールの制動力調整部材は、スプール又は前記スプールとともに回転する回転部材を支持する支持軸に螺着する魚釣用リールの制動力調整部材であって、回動操作により前記支持軸の軸方向に変位し、複数の制動板を押圧する押圧力を調整する押圧力調整部と、前記回動操作時に発音する発音部と、を備え、前記押圧力調整部と前記発音部とは、前記制動力調整部材の内部に配置されるとともに前記軸方向に併設されていることを特徴とする。
【００１７】
前記発明によれば、制動力調整部材における径方向の寸法を小さく設計すること、言い換えると、制動力調整部材が小型化・軽量化し、設計の自由度が向上する。
【発明の効果】
【００１８】
以上から、本発明によれば、径方向に小型化された制動力調整部材を備えた魚釣用リールのドラグ装置、及び径方向に小型化された魚釣用リールの制動力調整部材を提供することができる。
【図面の簡単な説明】
【００１９】
【図１】実施形態の魚釣用スピニングリールにおいて、スプールとドラグ装置をスプール軸に沿って切った断面図である。
【図２】図１の破線ＩＩを拡大した拡大図である。
【図３】図２のＩＩＩ−ＩＩＩ線矢視断面図である。
【図４】図２のＩＶ−ＩＶ線矢視断面図である。
【図５】図２のＶ−Ｖ線矢視断面図である。
【図６】（ａ）保持ケースを前側斜め方向から視た斜視図であり、（ｂ）保持ケースを後側斜め方向から視た斜視図である。
【発明を実施するための形態】
【００２０】
つぎに、本発明の制動力調整部材（ドラグノブ）を適用した魚釣用スピニングリール（魚釣用リール）の実施形態について、図面を参照しながら説明する。
【００２１】
（魚釣用スピニングリール）
図１に示すように、魚釣用スピニングリール１００は、ロータ（不図示）の回転軸Ｏに沿って前後方向に延在するスプール軸１１０と、スプール軸１１０に取り付けられたスプール１２０及びドラグ装置１と、を備えている。
なお、以下の説明において、回転軸Ｏが延在する方向及びスプール軸１１０が延在する方向（前後方向）を単に「軸方向」と称する場合がある。
【００２２】
スプール軸１１０は、金属製の棒状部品であり、リール本体（不図示）に前後方向に移動自在に支持されている。スプール軸１１０の後部は、リール本体内に設けられたオシレート機構に連結している。そして、ハンドル（不図示）の巻き取り操作が行われると、スプール軸１１０及びスプール１２０が前後動する。これにより、スプール１２０に巻き回しされる釣り糸が均等に前後方向に振り分けられる。
【００２３】
スプール軸１１０の前端には、ドラグ装置１の後述するドラグノブ７を螺着させるための雄ねじ１１１が形成されている。また、スプール軸１１０の前側には、スプール軸１１０の外周面をＤカットすることで形成された一対の平面１１２が設けられている。このため、スプール軸１１０の前側の断面形状は、非円形となっている（図３参照）。
【００２４】
図１に示すように、スプール１２０は、円筒状の糸巻き胴部１２１と、糸巻き胴部の前端から径方向外側に立ち上がる前フランジ１２２と、糸巻き胴部１２１の後端から径方向外側に立ち上がる後フランジ（不図示）と、後フランジの外縁から後方に延びるスカート部（不図示）と、を備えている。
【００２５】
糸巻き胴部１２１内には、糸巻き胴部１２１を閉塞する円形状の壁部１２３が形成されている。この壁部１２３の中央には、スプール軸１１０が貫通する円形状の孔１２４が形成されている。このため、スプール１２０は、スプール軸１１０に回動自在に支持されている。
【００２６】
糸巻き胴部１２１の内周側は、前方に向って開口してドラグ装置１の一部を収容する環状の前凹部１２５を構成している。また、前凹部１２５内には、糸巻き胴部１２１の内周面に沿って前後方向に延びる公知の凹状の溝部１２６が２つ形成されている。
【００２７】
（ドラグ装置）
ドラグ装置１は、スプール１２０の凹状の溝部１２６とスプール軸１１０とに係合し、スプール１２０に制動力を与える制動部２と、スプール軸１１０に螺着し回動操作により制動力を調整するドラグノブ７（制動力調整部材）と、を備えている。
【００２８】
制動部２は、２つの凹状の溝部１２６に係合する突部が外周縁に形成された回転側制動板３と、回転側制動板３を前後方向から挟む一対の固定側制動板４，４と、各制動板間に介在するライニング材５と、を備えている。
回転側制動板３は、スプール軸１１０に回転自在に支持され、スプール１２０と共回りできるようになっている。
一方、固定側制動板４は、スプール軸１１０に回転不能に支持されている。よって、一対の固定側制動板４，４は、スプール１２０と共回りする回転側制動板３に対し、ライニング材５を介して摩擦抵抗力を作用させている。
そして、釣り糸に作用する力が回転側制動板３に作用する摩擦抵抗力以上の場合、回転側制動板３及びスプール１２０が回転し、釣り糸が繰り出される。
【００２９】
また、回転側制動板３と一対の固定側制動板４，４とライニング材５は、スプール軸１１０に対し軸方向に移動自在に支持されている。このため、ドラグノブ７から受ける押圧力（図１の矢印Ａ参照）が大きくなると、回転側制動板３に作用する摩擦抵抗力が大きくなり、スプール１２０が回動し難くなる。
【００３０】
（ドラグノブ）
ドラグノブ７は、後本体１０と前本体２０とを組み合わせてなるノブ本体８と、ノブ本体８の前面に取り付けられたツマミ部９と、ノブ本体８内に配置され軸方向に併設された発音部３０及び押圧力調整部４０と、を備えている。
【００３１】
（後本体）
図２に示すように、後本体１０は、スプール軸１１０に貫通される筒状の小径筒部１１と、小径筒部１１の後端から径方向に延在するリング状の押圧部１２と、押圧部１２の外周縁から前方に延びる筒状の大径筒部１３と、を備える樹脂製又は金属製の部品である。
なお、実施形態の大径筒部１３が特許請求の範囲に記載される「筒部」である。
【００３２】
（小径筒部）
図３に示すように、小径筒部１１の外周面１４は、軸方向から視て円形となっている。一方で、小径筒部１１の内周面１５には、軸方向に延在する一対の平面１５ａ，１５ａが形成されている。つまり、小径筒部１１の内周面１５は、軸方向から視て非円形となっている。このため、小径筒部１１を備える後本体１０は、スプール軸１１０に対し、軸方向に移動自在であり、かつ、回転不能に支持されている。
【００３３】
（押圧部）
図２に示すように、押圧部１２は、押圧力調整部４０から後方に向う押圧力を受けて制動部２を後方に向って押圧する部分である。
押圧部１２の後面には、後方に突出する突出部１２ａが形成されている。この突出部１２ａは、後方から視て環状を呈している。よって、押圧部１２による押圧力は、制動部２の外周側に集中するようになっている（図１の矢印Ａ参照）。
【００３４】
（大径筒部）
図２に示すように、大径筒部１３は、小径筒部１１よりもツマミ部９側である前方に突出している。
大径筒部１３の前端には、径方向外側に張り出す鍔部１３ａが形成され、大径筒部１３の径方向の強度が向上している。
【００３５】
大径筒部１３の外周面の後側には、径方向外側に突出し周方向に延在する環状の突出部１６が２つ形成されている。この２つの突出部１６，１６は、互いに前後方向に離間している。そして、２つの突出部１６，１６の間には、Ｏリング５１が嵌め込まれている。このため、大径筒部１３と糸巻き胴部１２１との間が封止されており、前凹部１２５内に配置された制動板２に液体が付着し難くなっている。
【００３６】
大径筒部１３の内周面の後側には、凹凸部１７が形成されている。
一方で、大径筒部１３の内周面の前側には、支持面１８が形成されている。
図３に示すように、凹凸部１７は、凹部と凸部とが交互に周方向に連続して成る。なお、凹凸部１７は、発音部３０の構成の一つである。
図４、図５に示すように、支持面１８は、軸方向から視て円形に形成されている。なお、この支持面１８は、前本体２０の後述する内嵌筒部２１を支持するための面である。
【００３７】
（前本体）
図１及び図２に示すように、ノブ本体８の前本体２０は、後本体１０の大径筒部１３に内嵌された筒状の内嵌筒部２１と、内嵌筒部２１の前側開口を閉塞する円板状の蓋部２２と、を備える樹脂製の部品である。
【００３８】
（内嵌筒部）
図４、図５に示すように、内嵌筒部２１の内周面２４は、軸方向から視て多角形、例えば正六角形に形成されている。
一方、内嵌筒部２１の外周面２３は、軸方向から視て円形となっており、後本体１０の支持面１８に回動自在に当接している。このため、内嵌筒部２１を備える前本体２０は、後本体１０に対し、回転自在に支持されている。
また、前本体２０は、ばね性を有する係止部材（不図示）を備え、この係止部材により前本体２０が後本体１０から抜け落ちないように、言い換えると、前本体２０と後本体１０とがユニット化（一体化）されている。
【００３９】
なお、前本体２０と後本体１０とのユニット化を達成するための具体的な例として、例えば、内嵌筒部２１の外周に環状の環状凹溝を形成し、大径筒部１３に貫通孔を形成する。また、大径筒部１３の外周側には、径方向内側に突出する突部が形成された係止部材を嵌着させる。そして、係止部材の突部は、大径筒部１３の貫通孔を貫通し、内嵌筒部２１の環状凹溝内に入り込んでいる、といった構成が挙げられる。このような構成によれば、係止部材の突起が内嵌筒部２１の環状凹溝に係合し、前本体２０は、後本体１０に対し回動自在に支持されるとともに、抜け落ちることがない。
なお、本発明においては、後本体１０と前本体２０とをユニット化しないで回動自在かつ軸方向に移動可能に構成してもよい。
【００４０】
そのほか、図２に示すように、大径筒部１３の前端の内周側角部には、切り欠き１３ｂが設けられてＯリング５０が配置されている。このため、内嵌筒部２１と大径筒部１３との間を通って、ノブ本体８内に液体が浸入しないようになっている。
【００４１】
（蓋部）
図１に示すように、蓋部２２の外周側端部には、ツマミ部９に設けられた突起９ａが溶着しており、前本体２０とツマミ部９が一体になっている。よって、ツマミ部９を把持し、ツマミ部９を回動操作すると、内嵌筒部２１が回動する。
また、蓋部２２の後面の中央部には、凹部２６が形成されている。
凹部２６は、螺合部４１の後述するナット部４３と、スプール軸１１０の前端を収容する空間である。
なお、凹部２６の内周面２６ａは、特に図示しないが、軸方向から視て円形となっており、ナット部４３の外周面と周方向に係合しないようになっている。
【００４２】
（発音部）
図２に示すように、発音部３０は、後本体１０の大径筒部１３内に収容されている。
発音部３０は、後本体１０に形成された凹凸部１７と、凹凸部１７に弾発係合する板ばね３１と、板ばね３１を保持する保持ケース３２と、を備えている。
【００４３】
図６に示すように、保持ケース３２は、回転軸Ｏ上に位置し軸方向に開口する中央筒部３３と、中央筒部３３の前端から径方向外側に延びて環状を呈し、軸方向から視て外形が正六角形状の後側環状部３４と、後側環状部３４の外周縁から後方に延びる一対の保持部３５，３５と、を備える金属製の部品である。
【００４４】
図２に示すように、中央筒部３３は、後本体１０の小径筒部１１に外嵌されている。
図３に示すように、中央筒部３３の内周面３３ａは、軸方向から視て円形となっている。このため、保持ケース３２は、後本体１０に回動自在に支持されている。
【００４５】
図２に示すように、後側環状部３４の前面には、後述するコイルばね４２の後端が当接している。また、後側環状部３４の前面には、コイルばね４２の後端が入り込む後凹部３６が形成されている。これにより、コイルばね４２が径方向に位置ずれすることを防止している。
【００４６】
後側環状部３４は、前側部分が前本体２０の内嵌筒部２１内に入り込んでいる。
図４に示すように、後側環状部３４の外周面３４ａは、軸方向から視て正六角形となっており、後側環状部３４の外周と前本体２０の内嵌筒部２１の内周が周方向に回り止め係合している。このため、ツマミ部９の回動操作により内嵌筒部２１が回動すると（図４の矢印Ｂ１参照）、保持ケース３２も周方向に回動する（図４の矢印Ｂ２参照）。
【００４７】
図３に示すように、一対の保持部３５，３５は、中央筒部３３に対して径方向外側に離間して設けられている。なお、保持部３５の内側の面は円弧状に形成されている。
【００４８】
板ばね３１は、帯状の金属部材を折り曲げることで形成された部品である。
板ばね３１は、略Ｌ字状を呈し頂点が凹凸部１７に弾発係合する弾発係合部３１ａと、弾発係合部３１ａの各端部から延在し保持部３５の内周面３５ａに当接する一対の円弧部３１ｂ，３１ｂと、各円弧部３１ｂの端部から曲折して保持部３５の側面３５ｂに当接する一対の曲折部３１ｃ，３１ｃと、を備えている。
また、板ばね３１の付勢力により、一対の円弧部３１ｂ，３１ｂが保持部３５の内周面３５ａに押し付けられるように、板ばね３１が一対の円弧部３１ｂ，３１ｂが組み付けられている。
以上から、一対の円弧部３１ｂ，３１ｂ及び一対の曲折部３１ｃ，３１ｃは、一対の保持部３５，３５に対して周方向に係合している。
【００４９】
以上の発音部３０によれば、ツマミ部９の回動操作により保持ケース３２が回動すると（図４の矢印Ｂ２参照）、板ばね３１も回転軸Ｏ回りに回動する（図３の矢印Ｂ３参照）。この結果、弾発係合部３１ａが凹凸部１７の凸部を弾発し、クリック音が生じる。
【００５０】
（押圧力調整部）
図２に示すように、押圧力調整部４０は、ツマミ部９の回動操作により軸方向に変位し、制動部２を後方に押圧する押圧力（押圧部１２に作用する押圧力）を調整するためのものである。押圧力調整部４０は、スプール軸１１０に螺合する螺合部４１と、コイルばね４２と、を備えている。
【００５１】
（螺合部）
螺合部４１は、前本体２０内に収容されている。
螺合部４１は、内周面に雌ねじ４３ａが形成されてスプール軸１１０に螺合するナット部４３と、ナット部４３の外周面から径方向外側に延びる環状の前側環状部４４と、を備える金属製の部品である。
【００５２】
前側環状部４４は、発音部３０における保持ケース３２の後側環状部３４に対し、軸方向に離間している。そして、前側環状部４４と後側環状部３４との間にコイルばね４２が配置され、前側環状部４４の後面にコイルばね４２の前端が当接している（図１参照）。
なお、前側環状部４４の後面には、コイルばね４２の前端が入り込む前凹部４５が形成されている。これにより、コイルばね４２が径方向に位置ずれすることが防止される。
【００５３】
コイルばね４２は、自然長の状態から軸方向に圧縮された状態、言い換えると、前後方向に離間するような付勢力を有した状態で組み付けられている。
よって、コイルばね４２は、後側環状部３４を後方に押圧している。そして、後側環状部３４に作用する押圧力（コイルばね４２の付勢力）は、保持ケース３２における中央筒部３３及び一対の保持部３５，３５を介して、後本体１０の押圧部１２に伝達している（図２の矢印Ｂ６参照）。この結果、押圧部１２が制動板２を後方に押圧し、制動板２に摩擦抵抗力が発生する。
【００５４】
図５に示すように、前側環状部４４の外周面４４ａは、軸方向から視て多角形、例えば正六角形となっており、前側環状部４４の外周面と内嵌筒部２１の内周面２４とが周方向に回り止め係合している。
このため、ツマミ部９の回動操作により内嵌筒部２１が回動すると（図４の矢印Ｂ１参照）、螺合部４１も回動する（図４の矢印Ｂ４参照）。
そして、螺合部４１におけるナット部４３は、スプール軸１１０の雄ねじ１１１に案内され、前方又は後方に移動する。
仮に螺合部４１が後方に移動した場合には（図２の矢印Ｂ５参照）、前側環状部４４と後側環状部３４との距離が小さくなり、コイルばね４２の圧縮付勢力が大きくなる。この結果、押圧部１２に伝達する押圧力（図２の矢印Ｂ６参照）が大きくなり、スプール１２０に作用する制動力も大きくなる。
【００５５】
以上、実施形態のドラグノブ（制動力調整部材）７によれば、従来のドラグノブ（押圧力調整部の径方向外側に発音部が配置されたドラグノブ）よりも径方向の寸法を小さく設計すること、言い換えると、ドラグノブ７を径方向に小型化することが可能となる。
この結果、ドラグノブ７の操作性が向上するとともに、小型スプールに適用することも可能となる。
【００５６】
また、発音部３０は、ツマミ部９が溶着された前本体２０ではなく、後本体１０内に配置されている。このため、発音部３０がツマミ部９及び蓋部２２（前本体２０）に与える設計上の制限が少ない。言い換えると、ツマミ部９及び蓋部２２（前本体２０）の設計の自由度を高くすることができる。
【００５７】
以上、実施形態について説明したが、本発明は実施形態で説明した例に限定さない。
例えば、本実施形態では、本発明を魚釣用スピニングリールのドラグノブに適用した例を挙げたが、スプールとともに回転する回転体（例えばドライブギヤ）に制動力を付与する両軸受型の魚釣リールや他の形式の魚釣用リールに本発明を適用してもよい。
【００５８】
また、本実施形態の発音部３０は、板ばね３１を用いているが、ばね材により付勢された付勢ピンを用いてもよく、特に限定されない。
【００５９】
また、本実施形態の保持ケース３２の中央筒部３３は、後本体１０の小径筒部１１に外嵌されて回動自在に支持されているが、例えば、中央筒部３３がスプール軸１１０に回動自在に支持されてもよく、特に限定されない。
【符号の説明】
【００６０】
１      ドラグ装置
２      制動部
３      回転側制動板（制動板）
４      固定側制動板（制動板）
７      ドラグノブ
８      ノブ本体
９      ツマミ部
１０    後本体
１１    小径筒部
１２    押圧部
１３    大径筒部
１７    凹凸部
１８    支持面
２０    前本体
２１    内嵌筒部
２２    蓋部
３０    発音部
３１    板ばね
３２    保持ケース
３３    中央筒部
３４    後側環状部
３５    保持部
４０    押圧力調整部
４１    螺合部
４２    コイルばね
４３    ナット部
４４    前側環状部
５０    Ｏリング
１００  魚釣用スピニングリール
１１０  スプール軸
１２０  スプール
【図１】
2018157778.tif 000003
【図２】
2018157778.tif 000004
【図３】
2018157778.tif 000005
【図４】
2018157778.tif 000006
【図５】
2018157778.tif 000007
【図６】
2018157778.tif 000008